(57)【要約】【課題】送信端末から受信端末へ画像データを送信した場合に該画像データに対する受信端末側での処理状況を表わす画面が送信端末側で自動的に表示される画像転送システムを提供する。【解決手段】送信端末２０Ｔは、画像データの送信に関する通信開始に伴って、該画像データに対する受信端末２０Ｒ側での処理状況を送信端末２０Ｔ側で表示するための表示データの送信をリモートＵＩ通信制御装置４０を介して受信端末に要求し、受信端末２０Ｒは、該要求に応じて、自端末２０Ｒでの処理状況を示す表示データを送信端末２０Ｔへ送信し、送信端末２０Ｔは受信端末２０Ｒから送られてきた表示データに基づいて、受信端末２０Ｒ側での処理状況を表わす画面を表示する。【選択図】図１
2007194786.tif 000002
【特許請求の範囲】
【請求項１】
画像データを送信する送信端末と、前記送信端末から送られてくる画像データを受信する受信端末とを備えた画像転送システムにおいて、
前記送信端末は、
画像データを前記受信端末に送信する送信手段と、
前記画像データの送信に関する前記受信端末との通信開始に応じて、前記画像データに対する前記受信端末側での処理状況に関する表示データの送信を前記受信端末に要求する要求信号を送信する要求手段とを有し、
前記受信端末は、
前記送信端末から送られてくる前記画像データを受信する受信手段と、
前記要求信号を受信する要求受信手段と、
前記要求受信手段で受信した前記要求信号に応じて、前記送信端末に前記表示データを送信する表示データ送信手段とを有し、
前記送信端末はさらに、
前記受信端末から送られてきた前記表示データを受信する表示データ受信手段と、
前記表示データ受信手段で受信した前記表示データに基づいて、前記受信端末側での処理状況を表わす情報を表示する表示手段とを有する
ことを特徴とする画像転送システム。
【請求項２】
前記送信端末は、前記画像データの送信に係わる通信手順上の信号により前記受信端末での前記画像データの受信完了を確認したとき、前記情報の表示を終了させる
ことを特徴とする請求項１に記載の画像転送システム。
【請求項３】
前記受信端末は、該画像データに対する受信端末側での処理が完了したとき前記送信端末へ所定の完了通知を送信し、
前記送信端末は、前記完了通知を受信したとき、前記情報の表示を終了させる
ことを特徴とする請求項１に記載の画像転送システム。
【請求項４】
前記受信端末は、前記画像データの印刷出力を完了したとき、前記完了通知を前記送信端末へ送信する
ことを特徴とする請求項３に記載の画像転送システム。
【請求項５】
前記画像データは第１の通信路で送受信し、
前記表示データは第２の通信路で送受信し、
前記送信端末は、前記画像データを前記第１の通信路で前記受信端末に送信するための宛先情報を入力する入力手段と、前記入力手段で入力された宛先情報に基づいて前記表示データを前記第２の通信路で受信するために前記受信端末のアドレス情報を入手する入手手段とをさらに有する
ことを特徴とする請求項１乃至４のいずれか１つに記載の画像転送システム。
【請求項６】
前記入手手段は、前記宛先情報に対応する前記アドレス情報を所定の外部端末に問い合わせて入手する
ことを特徴とする請求項５に記載の画像転送システム。
【請求項７】
前記送信端末は、前記受信端末から所定の応答を受信したとき、前記要求信号を送信する
ことを特徴とする請求項１乃至６のいずれか１つに記載の画像転送システム。
【請求項８】
画像データを送信する送信端末と、前記送信端末から送られてくる画像データを受信する受信端末と、前記送信端末および前記受信端末に接続された外部端末とを備えた画像転送システムにおいて、
前記送信端末は、
画像データを前記受信端末に送信する送信手段と、
前記画像データの送信に関する前記受信端末との通信開始に応じて、前記画像データに対する前記受信端末側での処理状況に関する表示データの送信を、前記外部端末を介して前記受信端末に要求する要求信号を送信する要求手段とを有し、
前記受信端末は、
前記送信端末から送られてくる前記画像データを受信する受信手段と、
前記外部端末を介して前記要求信号を受信する要求受信手段と、
前記要求受信手段で受信した前記要求信号に応じて、前記外部端末を介して前記送信端末に前記表示データを送信する表示データ送信手段とを有し、
前記送信端末はさらに、
前記受信端末から前記外部端末を介して送られてきた前記表示データを受信する表示データ受信手段と、
前記表示データ受信手段で受信した前記表示データに基づいて、前記受信端末側での処理状況を表わす情報を表示する表示手段とを有する
ことを特徴とする画像転送システム。
【請求項９】
前記送信端末は、前記画像データの送受信に係わる通信手順上の信号により前記受信端末での前記画像データの受信完了を確認したとき、前記情報の表示を終了させる
ことを特徴とする請求項８に記載の画像転送システム。
【請求項１０】
前記受信端末は、該画像データに対する受信端末側での処理が完了したとき前記外部端末を介して前記送信端末へ所定の完了通知を送信し、
前記送信端末は、前記完了通知を受信したとき、前記情報の表示を終了させる
ことを特徴とする請求項８に記載の画像転送システム。
【請求項１１】
前記受信端末は、前記画像データの印刷出力を完了したとき、前記外部端末を介して前記送信端末へ前記完了通知を送信する
ことを特徴とする請求項１０に記載の画像転送システム。
【請求項１２】
前記画像データは第１の通信路で送受信し、
前記表示データは第２の通信路で送受信し、
前記送信端末は、前記画像データを前記第１の通信路で前記受信端末に送信するための宛先情報を入力する入力手段を備え、前記入力手段で入力された前記宛先情報を前記外部端末に通知し、
前記外部端末は、前記送信端末から通知された前記宛先情報に基づいて前記第２の通信路における前記受信端末のアドレス情報を取得し、該アドレス情報を使用して前記受信端末と前記第２の通信路で通信する
ことを特徴とする請求項９乃至１１のいずれか１つに記載の画像転送システム。
【請求項１３】
前記送信端末は、前記受信端末から所定の応答を受信したとき、前記要求信号を送信する
ことを特徴とする請求項９乃至１２のいずれか１つに記載の画像転送システム。
【請求項１４】
前記画像データの送受信は、電話回線を通じた通信で行なう
ことを特徴とする請求項１乃至１３のいずれか１つに記載の画像転送システム。
【請求項１５】
前記画像データの送受信は、インターネットを通じた通信で行なう
ことを特徴とする請求項１乃至１３のいずれか１つに記載の画像転送システム。
【請求項１６】
前記画像データの送受信は、電話回線を通じたＧ３ファクシミリ通信で行ない、
前記所定の応答は、ＤＩＳ信号である
ことを特徴とする請求項７または１３に記載の画像転送システム。
【請求項１７】
前記画像データの送受信は、インターネットを通じたインターネットファクシミリ通信で行ない、
前記所定の応答は、送信側からのＲＣＰＴ命令である
ことを特徴とする請求項７または１３に記載の画像転送システム。
【請求項１８】
前記受信端末は、ビットマップ形式で前記表示データを送信し、
前記送信端末は、前記受信端末から受信した前記表示データをビットマップ形式からＲＡＷデータに変換して使用する
ことを特徴とする請求項１乃至１７のいずれか１つに記載の画像転送システム。
【請求項１９】
前記表示データは、前記受信端末の表示部に表示される画面と同一の画面を送信端末で表示するためのデータである
ことを特徴とする請求項１乃至１８のいずれか１つに記載の画像転送システム。
【請求項２０】
受信端末に対して画像データを送信する画像送信装置において、
前記受信端末に画像データを送信する送信手段と、
前記画像データの送信に関する前記受信端末との通信開始に応じて、前記画像データに対する前記受信端末側での処理状況に関する表示データの送信を前記受信端末に要求する要求信号を送信する要求手段と、
前記受信端末から送られてきた前記表示データを受信する表示データ受信手段と、
前記表示データ受信手段で受信した前記表示データに基づいて、前記受信端末側での処理状況を表わす情報を表示する表示手段とを有する
ことを特徴とする画像送信装置。
【請求項２１】
前記画像データの送信に係わる通信手順上の信号により前記受信端末での前記画像データの受信完了を確認したとき、前記情報の表示を終了させる
ことを特徴とする請求項２０に記載の画像送信装置。
【請求項２２】
受信した前記画像データに対する前記受信端末側での処理が完了したことを表わす所定の完了通知を前記受信端末から受信したとき、前記情報の表示を終了させる
ことを特徴とする請求項２０に記載の画像送信装置。
【請求項２３】
前記完了通知は、前記画像データの印刷出力完了を示すものである
ことを特徴とする請求項２２に記載の画像送信装置。
【請求項２４】
前記画像データは第１の通信路で送受信し、前記表示データは第２の通信路で送受信すると共に、
前記画像データを前記第１の通信路で前記受信端末に送信するための宛先情報を入力する入力手段と、前記入力手段で入力された宛先情報に基づいて前記表示データを前記第２の通信路で受信するために前記受信端末のアドレス情報を入手する入手手段とをさらに有する
ことを特徴とする請求項２０乃至２３のいずれか１つに記載の画像送信装置。
【請求項２５】
前記入手手段は、前記宛先情報に対応する前記アドレス情報を所定の外部端末に問い合わせて入手する
ことを特徴とする請求項２４に記載の画像送信装置。
【請求項２６】
前記受信端末から所定の応答を受信したとき、前記要求信号を送信する
ことを特徴とする請求項２０乃至２５のいずれか１つに記載の画像送信装置。
【請求項２７】
受信端末に対して画像データを送信する画像送信装置において、
前記受信端末に画像データを送信する送信手段と、
前記画像データの送信に関する前記受信端末との通信開始に応じて、前記画像データに対する前記受信端末側での処理状況に関する表示データの送信を、所定の外部端末を介して前記受信端末に要求する要求信号を送信する要求手段と、
前記受信端末から前記外部端末を介して送られてきた前記表示データを受信する表示データ受信手段と、
前記表示データ受信手段で受信した前記表示データに基づいて、前記受信端末側での処理状況を表わす情報を表示する表示手段とを有する
ことを特徴とする画像送信装置。
【請求項２８】
前記画像データの送信に係わる通信手順上の信号により前記受信端末での前記画像データの受信完了を確認したとき、前記情報の表示を終了させる
ことを特徴とする請求項２７に記載の画像送信装置。
【請求項２９】
受信した前記画像データに対する前記受信端末側での処理が完了したことを表わす所定の完了通知を前記受信端末から前記外部端末を介して受信したとき、前記情報の表示を終了させる
ことを特徴とする請求項２７に記載の画像送信装置。
【請求項３０】
前記完了通知は、前記画像データの印刷出力完了を示すものである
ことを特徴とする請求項２９に記載の画像送信装置。
【請求項３１】
前記画像データは第１の通信路で送受信し、前記表示データは第２の通信路で送受信すると共に、
前記画像データを前記第１の通信路で前記受信端末に送信するための宛先情報を入力する入力手段を備え、前記入力手段で入力された前記宛先情報を前記外部端末に通知し、前記外部端末に基づいて前記宛先情報から前記第２の通信路における前記受信端末のアドレス情報を取得し、該アドレス情報を使用して前記受信端末と前記第２の通信路で通信させる
ことを特徴とする請求項２７乃至３０のいずれか１つに記載の画像送信装置。
【請求項３２】
前記受信端末から所定の応答を受信したとき、前記要求信号を送信する
ことを特徴とする請求項２７乃至３１のいずれか１つに記載の画像送信装置。
【請求項３３】
前記画像データの送受信は、電話回線を通じた通信で行なう
ことを特徴とする請求項２０乃至３２のいずれか１つに記載の画像送信装置。
【請求項３４】
前記画像データの送受信は、インターネットを通じた通信で行なう
ことを特徴とする請求項２０乃至３２のいずれか１つに記載の画像送信装置。
【請求項３５】
前記画像データの送受信は、電話回線を通じたＧ３ファクシミリ通信で行ない、
前記所定の応答は、ＤＩＳ信号である
ことを特徴とする請求項２６または３２に記載の画像送信装置。
【請求項３６】
前記画像データの送受信は、インターネットファクシミリ通信で行ない、
前記所定の応答は、送信側からのＲＣＰＴ命令である
ことを特徴とする請求項２６または３２に記載の画像送信装置。
【請求項３７】
前記受信端末からビットマップ形式で前記表示データを受信し、該受信した表示データをビットマップ形式からＲＡＷデータに変換して使用する
ことを特徴とする請求項２０乃至３６のいずれか１つに記載の画像送信装置。
【請求項３８】
前記表示データは、前記受信端末の表示部に表示される画面と同一の画面を該画像送信装置で表示するためのデータである
ことを特徴とする請求項２０乃至３７のいずれか１つに記載の画像送信装置。
【発明の詳細な説明】
【技術分野】
【０００１】
本発明は、送信端末から受信端末へ画像データを送信する画像転送システム、画像送信装置に係わり、特に、受信端末側での処理状況を送信装置側で確認するための技術に関する。
【背景技術】
【０００２】
ネットワークを介して接続された装置間で、一方の装置の表示部に表示される画面と同一の画面を他方の装置で再現して表示する技術がある。
【０００３】
たとえば、特許文献１には、ネットワークで接続されたパーソナルコンピュータからＯＡ機器を遠隔操作する場合に、該ＯＡ機器をスタンドアローンモードで使用するときにその操作パネルに表示されるメニュー画面と同一のメニュー画面を再現するために必要な画像情報をＯＡ機器側からパーソナルコンピュータに対して送信し、パーソナルコンピュータ側で該メニュー画面を表示してユーザ操作を受け付け、該操作内容をパーソナルコンピュータからＯＡ機器に送信してＯＡ機器を遠隔操作する技術が開示されている。
【０００４】
【特許文献１】特開平８−３２９００５号公報
【発明の開示】
【発明が解決しようとする課題】
【０００５】
ファクシミリ通信などで送信端末から受信端末へ画像データを送信する場合、送信端末は、通信手順上の応答信号、たとえば、ＭＣＦ（Message Confirmation）信号などを頼りに、受信端末側で正常に受信されたか否かを確認しているが、このような応答信号だけでは、受信端末側の状況を詳細に認識できない。たとえば、メモリへの画像データの受信は正常に終了したが、その後、紙詰まりが生じて印刷に失敗したとか、紙切れにより未だ印刷されていないなどの状況を送信端末側で知ることはできない。
【０００６】
このような問題に対し、受信端末側の表示画面と同一の画面を送信端末側で表示するために必要な表示データを受信端末から送信端末へ送信し、送信端末側で受信端末側の画面を再現することで、受信端末側での処理状況を送信端末側でより詳細に認識する方法が考えられる。
【０００７】
しかしながら、特許文献１に開示された従来の技術では、画面の表示データを相手機から入手するためには専用の通信をユーザ自身で起動し、しかも画面の種類などをユーザが指定しなければならないので、かかる表示データ入手用の通信をファクシミリ通信などの画像通信とは別個にユーザ自身に起動させ画面の指定などを行なわせると、操作が煩雑になり、使い勝手がよくない。
【０００８】
また、表示データ入手用の通信を行なうためには、ファクシミリ通信などの画像通信用の宛先情報（たとえば、電話番号）のほかに、パーソナルコンピュータとＯＡ機器間での該表示データ入手用の通信に使用する受信端末側のアドレス情報（たとえば、ＩＰ（Internet Protocol）アドレス）をさらに知っている必要があり、わからない場合には、受信端末側の表示画面を送信端末側で再現表示することができないという問題が生じる。
【０００９】
本発明は、上記の問題を解決しようとするものであり、送信端末から受信端末へ画像データを送信した場合に該画像データに対する受信端末側での処理状況を表わす画面が送信端末側で自動的に表示される画像転送システムおよび画像送信装置を提供することを目的としている。
【課題を解決するための手段】
【００１０】
以上の目的は、以下の各項に示す発明により達成される。
【００１１】
（１）画像データを送信する送信端末と、前記送信端末から送られてくる画像データを受信する受信端末とを備えた画像転送システムにおいて、
前記送信端末は、
画像データを前記受信端末に送信する送信手段と、
前記画像データの送信に関する前記受信端末との通信開始に応じて、前記画像データに対する前記受信端末側での処理状況に関する表示データの送信を前記受信端末に要求する要求信号を送信する要求手段とを有し、
前記受信端末は、
前記送信端末から送られてくる前記画像データを受信する受信手段と、
前記要求信号を受信する要求受信手段と、
前記要求受信手段で受信した前記要求信号に応じて、前記送信端末に前記表示データを送信する表示データ送信手段とを有し、
前記送信端末はさらに、
前記受信端末から送られてきた前記表示データを受信する表示データ受信手段と、
前記表示データ受信手段で受信した前記表示データに基づいて、前記受信端末側での処理状況を表わす情報を表示する表示手段とを有する
ことを特徴とする画像転送システム。
【００１２】
上記発明では、送信端末は、画像データの送信に関する通信開始に応じて、該画像データに対する受信端末側での処理状況を送信端末側で表示するための表示データの送信を要求する要求信号を受信端末に送信し、受信端末は、該要求信号に応じて、自端末での処理状況を示す表示データを送信端末へ送信し、送信端末は受信端末から送られてきた表示データに基づいて、受信端末側での処理状況を表わす情報を表示する。
【００１３】
表示データは、受信端末の表示部に表示される画面と同一の画面を送信端末に表示するためのデータでもよいし、見た目は同一でなくても、内容的に同一の画面を再現可能なデータでもよい。また、受信端末の表示部に表示される画面や表示内容の全部を含まなくてもよい。
【００１４】
（２）前記送信端末は、前記画像データの送信に係わる通信手順上の信号により前記受信端末での前記画像データの受信完了を確認したとき、前記情報の表示を終了させる
ことを特徴とする（１）に記載の画像転送システム。
【００１５】
上記発明では、ＭＣＦ信号など、通信手順上の応答信号で受信端末での画像データの受信完了を確認したとき、表示データの受信を終了させる。受信端末においては、画像データの受信を完了したとき、表示データの送信動作を自ら終了させてもよいし、送信端末から終了コマンドを受信端末へ送信し、該終了コマンドの受信に基づいて表示データの送信動作を終了させてもよい。
【００１６】
（３）前記受信端末は、該画像データに対する受信端末側での処理が完了したとき前記送信端末へ所定の完了通知を送信し、
前記送信端末は、前記完了通知を受信したとき、前記情報の表示を終了させる
ことを特徴とする（１）に記載の画像転送システム。
【００１７】
上記発明では、送信端末は、受信端末へ送信した画像データに対する処理完了の通知を受信端末から受信したとき、表示データに基づく情報の表示を終了させる。これにより、受信終了後における受信端末側での処理状況を送信端末側で把握することができる。受信端末側での処理は、受信した画像データに対して受信端末が実行する処理であればよく、たとえば、印刷出力や他の装置への転送などでもよい。
【００１８】
（４）前記受信端末は、前記画像データの印刷出力を完了したとき、前記完了通知を前記送信端末へ送信する
ことを特徴とする（３）に記載の画像転送システム。
【００１９】
（５）前記画像データは第１の通信路で送受信し、
前記表示データは第２の通信路で送受信し、
前記送信端末は、前記画像データを前記第１の通信路で前記受信端末に送信するための宛先情報を入力する入力手段と、前記入力手段で入力された宛先情報に基づいて前記表示データを前記第２の通信路で受信するために前記受信端末のアドレス情報を入手する入手手段とをさらに有する
ことを特徴とする（１）乃至（４）のいずれか１つに記載の画像転送システム。
【００２０】
上記発明では、画像データの送信のために入力された宛先情報に基づいて、表示データを受信するための受信端末のアドレス情報が自動入手される。これにより、ユーザは、表示データの受信に使用する第２の通信路における受信端末のアドレス情報を知らなくて済む。
【００２１】
（６）前記入手手段は、前記宛先情報に対応する前記アドレス情報を所定の外部端末に問い合わせて入手する
ことを特徴とする（５）に記載の画像転送システム。
【００２２】
たとえば、ネットワークに接続された外部端末（サーバなど）に、各受信端末について宛先情報とアドレス情報とを関連付けて登録しておき、送信端末から宛先情報を外部端末に送信し、該宛先情報に対応するアドレス情報を外部端末から入手するように構成することができる。
【００２３】
（７）前記送信端末は、前記受信端末から所定の応答を受信したとき、前記要求信号を送信する
ことを特徴とする（１）乃至（６）のいずれか１つに記載の画像転送システム。
【００２４】
上記発明では、送信端末は、画像データの送信に対して受信端末が応答したことを確認してから、表示データの送信要求（要求信号）を行なう。
【００２５】
（８）画像データを送信する送信端末と、前記送信端末から送られてくる画像データを受信する受信端末と、前記送信端末および前記受信端末に接続された外部端末とを備えた画像転送システムにおいて、
前記送信端末は、
画像データを前記受信端末に送信する送信手段と、
前記画像データの送信に関する前記受信端末との通信開始に応じて、前記画像データに対する前記受信端末側での処理状況に関する表示データの送信を、前記外部端末を介して前記受信端末に要求する要求信号を送信する要求手段とを有し、
前記受信端末は、
前記送信端末から送られてくる前記画像データを受信する受信手段と、
前記外部端末を介して前記要求信号を受信する要求受信手段と、
前記要求受信手段で受信した前記要求信号に応じて、前記外部端末を介して前記送信端末に前記表示データを送信する表示データ送信手段とを有し、
前記送信端末はさらに、
前記受信端末から前記外部端末を介して送られてきた前記表示データを受信する表示データ受信手段と、
前記表示データ受信手段で受信した前記表示データに基づいて、前記受信端末側での処理状況を表わす情報を表示する表示手段とを有する
ことを特徴とする画像転送システム。
【００２６】
上記発明では、送信端末は、画像データの送信に関する通信開始に伴って、該画像データに対する受信端末側での処理状況を送信端末側で表示するための表示データの送信要求（要求信号）を、外部端末を介して受信端末に対して送信し、受信端末は、該要求に応じて、自端末での処理状況を示す表示データを、外部端末を介して送信端末へ送信し、送信端末は外部端末を介して受信端末から送られてきた表示データに基づいて、受信端末側での処理状況を表わす情報（たとえば、受信端末側に表示されているものと同一の画面）を表示する。
【００２７】
（９）前記送信端末は、前記画像データの送受信に係わる通信手順上の信号により前記受信端末での前記画像データの受信完了を確認したとき、前記情報の表示を終了させる
ことを特徴とする（８）に記載の画像転送システム。
【００２８】
（１０）前記受信端末は、該画像データに対する受信端末側での処理が完了したとき前記外部端末を介して前記送信端末へ所定の完了通知を送信し、
前記送信端末は、前記完了通知を受信したとき、前記情報の表示を終了させる
ことを特徴とする（８）に記載の画像転送システム。
【００２９】
（１１）前記受信端末は、前記画像データの印刷出力を完了したとき、前記外部端末を介して前記送信端末へ前記完了通知を送信する
ことを特徴とする（１０）に記載の画像転送システム。
【００３０】
（１２）前記画像データは第１の通信路で送受信し、
前記表示データは第２の通信路で送受信し、
前記送信端末は、前記画像データを前記第１の通信路で前記受信端末に送信するための宛先情報を入力する入力手段を備え、前記入力手段で入力された前記宛先情報を前記外部端末に通知し、
前記外部端末は、前記送信端末から通知された前記宛先情報に基づいて前記第２の通信路における前記受信端末のアドレス情報を取得し、該アドレス情報を使用して前記受信端末と前記第２の通信路で通信する
ことを特徴とする（９）乃至（１１）のいずれか１つに記載の画像転送システム。
【００３１】
上記発明では、送信端末は、画像データの送信のために入力された宛先情報を外部端末に通知し、外部端末は該宛先情報から第２の通信路における受信端末のアドレス情報を取得し、該アドレス情報を使用して前記受信端末と表示データの送受信に係わる通信を行なう。たとえば、受信端末毎に宛先情報とアドレス情報とを関連付けて予め外部端末に登録しておき、送信端末から受信した宛先情報で該登録を検索することにより、その宛先情報に対応するアドレス情報が取得される。
【００３２】
（１３）前記送信端末は、前記受信端末から所定の応答を受信したとき、前記要求信号を送信する
ことを特徴とする（９）乃至（１２）のいずれか１つに記載の画像転送システム。
【００３３】
（１４）前記画像データの送受信は、電話回線を通じた通信で行なう
ことを特徴とする（１）乃至（１３）のいずれか１つに記載の画像転送システム。
【００３４】
（１５）前記画像データの送受信は、インターネットを通じた通信で行なう
ことを特徴とする（１）乃至（１３）のいずれか１つに記載の画像転送システム。
【００３５】
（１６）前記画像データの送受信は、電話回線を通じたＧ３ファクシミリ通信で行ない、
前記所定の応答は、ＤＩＳ信号である
ことを特徴とする（７）または（１３）に記載の画像転送システム。
【００３６】
（１７）前記画像データの送受信は、インターネットを通じたインターネットファクシミリ通信で行ない、
前記所定の応答は、送信側からのＲＣＰＴ命令である
ことを特徴とする（７）または（１３）に記載の画像転送システム。
【００３７】
（１８）前記受信端末は、ビットマップ形式で前記表示データを送信し、
前記送信端末は、前記受信端末から受信した前記表示データをビットマップ形式からＲＡＷデータに変換して使用する
ことを特徴とする（１）乃至（１７）のいずれか１つに記載の画像転送システム。
【００３８】
（１９）前記表示データは、前記受信端末の表示部に表示される画面と同一の画面を送信端末で表示するためのデータである
ことを特徴とする（１）乃至（１８）のいずれか１つに記載の画像転送システム。
【００３９】
（２０）受信端末に対して画像データを送信する画像送信装置において、
前記受信端末に画像データを送信する送信手段と、
前記画像データの送信に関する前記受信端末との通信開始に応じて、前記画像データに対する前記受信端末側での処理状況に関する表示データの送信を前記受信端末に要求する要求信号を送信する要求手段と、
前記受信端末から送られてきた前記表示データを受信する表示データ受信手段と、
前記表示データ受信手段で受信した前記表示データに基づいて、前記受信端末側での処理状況を表わす情報を表示する表示手段とを有する
ことを特徴とする画像送信装置。
【００４０】
（２１）前記画像データの送信に係わる通信手順上の信号により前記受信端末での前記画像データの受信完了を確認したとき、前記情報の表示を終了させる
ことを特徴とする（２０）に記載の画像送信装置。
【００４１】
（２２）受信した前記画像データに対する前記受信端末側での処理が完了したことを表わす所定の完了通知を前記受信端末から受信したとき、前記情報の表示を終了させる
ことを特徴とする（２０）に記載の画像送信装置。
【００４２】
（２３）前記完了通知は、前記画像データの印刷出力完了を示すものである
ことを特徴とする（２２）に記載の画像送信装置。
【００４３】
（２４）前記画像データは第１の通信路で送受信し、前記表示データは第２の通信路で送受信すると共に、
前記画像データを前記第１の通信路で前記受信端末に送信するための宛先情報を入力する入力手段と、前記入力手段で入力された宛先情報に基づいて前記表示データを前記第２の通信路で受信するために前記受信端末のアドレス情報を入手する入手手段とをさらに有する
ことを特徴とする（２０）乃至（２３）のいずれか１つに記載の画像送信装置。
【００４４】
（２５）前記入手手段は、前記宛先情報に対応する前記アドレス情報を所定の外部端末に問い合わせて入手する
ことを特徴とする（２４）に記載の画像送信装置。
【００４５】
（２６）前記受信端末から所定の応答を受信したとき、前記要求信号を送信する
ことを特徴とする（２０）乃至（２５）のいずれか１つに記載の画像送信装置。
【００４６】
（２７）受信端末に対して画像データを送信する画像送信装置において、
前記受信端末に画像データを送信する送信手段と、
前記画像データの送信に関する前記受信端末との通信開始に応じて、前記画像データに対する前記受信端末側での処理状況に関する表示データの送信を、所定の外部端末を介して前記受信端末に要求する要求信号を送信する要求手段と、
前記受信端末から前記外部端末を介して送られてきた前記表示データを受信する表示データ受信手段と、
前記表示データ受信手段で受信した前記表示データに基づいて、前記受信端末側での処理状況を表わす情報を表示する表示手段とを有する
ことを特徴とする画像送信装置。
【００４７】
（２８）前記画像データの送信に係わる通信手順上の信号により前記受信端末での前記画像データの受信完了を確認したとき、前記情報の表示を終了させる
ことを特徴とする（２７）に記載の画像送信装置。
【００４８】
（２９）受信した前記画像データに対する前記受信端末側での処理が完了したことを表わす所定の完了通知を前記受信端末から前記外部端末を介して受信したとき、前記情報の表示を終了させる
ことを特徴とする（２７）に記載の画像送信装置。
【００４９】
（３０）前記完了通知は、前記画像データの印刷出力完了を示すものである
ことを特徴とする（２９）に記載の画像送信装置。
【００５０】
（３１）前記画像データは第１の通信路で送受信し、前記表示データは第２の通信路で送受信すると共に、
前記画像データを前記第１の通信路で前記受信端末に送信するための宛先情報を入力する入力手段を備え、前記入力手段で入力された前記宛先情報を前記外部端末に通知し、前記外部端末に基づいて前記宛先情報から前記第２の通信路における前記受信端末のアドレス情報を取得し、該アドレス情報を使用して前記受信端末と前記第２の通信路で通信させる
ことを特徴とする（２７）乃至（３０）のいずれか１つに記載の画像送信装置。
【００５１】
（３２）前記受信端末から所定の応答を受信したとき、前記要求信号を送信する
ことを特徴とする（２７）乃至（３１）のいずれか１つに記載の画像送信装置。
【００５２】
（３３）前記画像データの送受信は、電話回線を通じた通信で行なう
ことを特徴とする（２０）乃至（３２）のいずれか１つに記載の画像送信装置。
【００５３】
（３４）前記画像データの送受信は、インターネットを通じた通信で行なう
ことを特徴とする（２０）乃至（３２）のいずれか１つに記載の画像送信装置。
【００５４】
（３５）前記画像データの送受信は、電話回線を通じたＧ３ファクシミリ通信で行ない、
前記所定の応答は、ＤＩＳ信号である
ことを特徴とする（２６）または（３２）に記載の画像送信装置。
【００５５】
（３６）前記画像データの送受信は、インターネットファクシミリ通信で行ない、
前記所定の応答は、送信側からのＲＣＰＴ命令である
ことを特徴とする（２６）または（３２）に記載の画像送信装置。
【００５６】
（３７）前記受信端末からビットマップ形式で前記表示データを受信し、該受信した表示データをビットマップ形式からＲＡＷデータに変換して使用する
ことを特徴とする（２０）乃至（３６）のいずれか１つに記載の画像送信装置。
【００５７】
（３８）前記表示データは、前記受信端末の表示部に表示される画面と同一の画面を該画像送信装置で表示するためのデータである
ことを特徴とする（２０）乃至（３７）のいずれか１つに記載の画像送信装置。
【発明の効果】
【００５８】
本発明に係わる画像転送システムおよび画像送信装置によれば、送信端末から受信端末へ画像データを送信するだけで、該画像データに対する受信端末側での処理状況を表わす情報（たとえば、受信端末側に表示されるものと同一の画面）が送信端末側で自動的に表示されるので、別途の通信を起動するなどの煩雑な操作を行なう必要がなく、受信端末側の処理状況を送信端末側で確認することができる。
【００５９】
また、画像データ送信用の宛先情報から表示データを受信するためのアドレス情報を自動入手するものでは、ユーザは画像データを送信するための宛先情報だけを指定すればよいので、操作性・利便性が向上する。
【００６０】
さらに、受信端末側での処理が完了するまで表示データに基づく表示を継続するものでは、受信端末における受信終了後の処理状況、たとえば、印刷出力が完了するまでの状況を送信端末側で確認することができる。
【発明を実施するための最良の形態】
【００６１】
以下、図面に基づき本発明の各種実施の形態を説明する。
【００６２】
図１は、本発明の第１の実施の形態に係わる画像転送システム１０の全体構成を示している。画像転送システム１０は、送信端末２０Ｔと、受信端末２０Ｒと、リモートＵＩ（User Interface）通信制御装置４０とをネットワーク２で接続して構成される。また、送信端末２０Ｔと受信端末２０Ｒは電話網８によって接続されている。
【００６３】
ネットワーク２は、送信端末２０Ｔが接続された第１ＬＡＮ(Local Area Network)２ａと、受信端末２０Ｒが接続された第２ＬＡＮ２ｂと、リモートＵＩ通信制御装置４０の接続された第３ＬＡＮ２ｃと、これらを介在するＷＡＮ（Wide Area Network）としてのインターネット２ｄとで構成されている。各ＬＡＮ２ａ、２ｂ、２ｃは、ルータ３ａ、３ｂ、３ｃを介してインターネット２ｄに接続されている。このほか、第１ＬＡＮ２ａや第２ＬＡＮ２ｂにはパーソナルコンピュータ４ａ、４ｂやファクシミリ装置５などが接続されてもかまわない。
【００６４】
送信端末２０Ｔ、受信端末２０Ｒはそれぞれ、ファクシミリ機能、原稿のコピー機能、印刷機能、スキャナ機能などを備えた複合機として構成されている。送信端末２０Ｔにはリモート操作端末１２が無線で接続されている。
【００６５】
図２は送信端末２０Ｔの構成を、図３は受信端末２０Ｒの構成を示している。ここでは、送信端末２０Ｔと受信端末２０Ｒとは同一構成の複合機であるので、送信端末２０Ｔについて説明する。なお、図３では、送信端末２０Ｔと同一部分には、図２の送信端末２０Ｔと同一の数字で添え字を「Ｔ」から「Ｒ」に代えた符号を付してある。
【００６６】
送信端末２０Ｔは、読取部２１Ｔと、印刷出力部２２Ｔと、リモートＵＩ制御部２３Ｔと、操作表示部２４Ｔと、宛先入力部２５Ｔと、ファクシミリ通信制御部２６Ｔと、ネットワーク制御部２７Ｔと、ＤＲＡＭ（Dynamic Random Access Memory）２８Ｔと、操作部表示モジュール２９Ｔと、表示データ変換モジュール３１Ｔとを内部バスなどで接続して構成される。
【００６７】
読取部２１Ｔは、原稿を光学的に読み取ってデジタルの画像データを取得する機能を果たす。印刷出力部２２Ｔは、出力対象の画像データに応じて記録紙上に画像を形成して印刷出力する機能を果たす。ここでは、電子写真プロセスを用いた、いわゆる、レーザープリンタエンジンとして構成されている。
【００６８】
操作表示部２４Ｔは、操作案内や動作状況などの各種画面を表示する表示手段としての機能と、ユーザから各種の入力操作や選択操作を受け付ける機能を果たす。たとえば、液晶ディスプレイと、その表面に敷設されたタッチパネル、各種の操作スイッチなどで構成される。リモートＵＩ制御部２３Ｔは、受信端末２０Ｒにおける、受信画像データの処理状況につき、操作表示部２４Ｔへ表示させる制御を行うものであり、詳細は後述する。宛先入力部２５Ｔは、画像データの送信先となる宛先情報を入力する入力手段として機能する。宛先入力部２５Ｔの機能は操作表示部２４Ｔで実現されてもよい。
【００６９】
ファクシミリ通信制御部２６Ｔは、ファクシミリ通信に係わる制御を行なう。ここでは、ＩＴＵ‐Ｔ（International Telecommunication Union-Telecommunication sector）勧告のＴ.３０に基づくＧ３ファクシミリ装置として機能するための通信手順制御などを行なう。ファクシミリ通信制御部２６Ｔには電話回線Ｌ１が接続されている。ネットワーク制御部２７Ｔは、ネットワーク２を通じてデータ通信を行なう機能を果たす。また、ネットワーク制御部２７Ｔは、インターネットファクシミリにより画像データを送受信する機能を果たす。ネットワーク制御部２７Ｔには、第１ＬＡＮ２ａが接続されている。なお、受信端末２０Ｒにおいてはファクシミリ通信制御部２６Ｒに電話回線Ｌ２が、ネットワーク制御部２７Ｒに第２ＬＡＮ２ｂがそれぞれ接続されている。
【００７０】
ＤＲＡＭ２８Ｔは、各種のデータを一時記憶するためのメモリであり、操作表示部２４Ｔに表示する画面の表示データなどが記憶される。操作部表示モジュール２９Ｔは、操作表示部２４Ｔに表示する各種画面の表示データを作成する。表示データ変換モジュール３１Ｔは、ＤＲＡＭ２８Ｔに記憶されている表示データのデータ形式を変換する機能を果たす。具体的には、ビットマップ形式とＲＡＷ（生）データとの間で相互変換を行なう。ビットマップ形式は、たとえば、ＴＩＦＦ（Tagged Image File Format）形式のように、画面の縦横のサイズ、解像度などを表わす書式情報をＲＡＷデータに付加したものであり、ＲＡＷデータは各画素のデータを単に起点から終点まで羅列したものである。
【００７１】
なお、送信端末２０Ｔ、受信端末２０Ｒの各部の動作は、図示省略のＣＰＵ（Central Processing Unit）によって制御されており、該制御においてＣＰＵが参照するプログラムは図示省略のフラッシュメモリなどに記憶されている。
【００７２】
図４は、リモートＵＩ通信制御装置４０の構成を示している。リモートＵＩ通信制御装置４０は、ＣＰＵ４１と、メモリ４２と、通信部４３と、変換テーブル記憶部４４とを備えている。リモートＵＩ通信制御装置４０は、たとえば、ＣＰＵ、ＲＯＭ（Read Only Memory）、ＲＡＭ（Random Access Memory）などを主要部とするサーバとして構成されてもよい。
【００７３】
ＣＰＵ４１は、リモートＵＩ通信制御装置４０の動作を制御する。通信部４３は、ネットワーク２を通じて送信端末２０Ｔおよび受信端末２０Ｒと通信する機能を果たす。通信部４３には第３ＬＡＮ２ｃが接続されている。メモリ４２は、受信端末２０Ｒと送信端末２０Ｔとの間で中継する各種のデータなどが一時記憶される。変換テーブル記憶部４４は、送信端末２０Ｔや受信端末２０Ｒなどの端末情報（特に、識別情報）を記憶する機能を果たす。
【００７４】
図５は、リモートＵＩ通信制御装置４０の変換テーブル記憶部４４に記憶された宛先変換テーブル５０の一例を示している。宛先変換テーブル５０には、端末毎に、ユーザ名５１、ＩＰアドレス５２、電子メールアドレス５３、Ｇ３ファクシミリ用電話番号５４などが対応付けて登録される。本実施の形態においては、Ｇ３ファクシミリ用電話番号５４が画像データを送信するための宛先情報に相当し、ＩＰアドレス５２や電子メールアドレス５３は、表示データを受信するために用いるアドレス情報に相当する。
【００７５】
宛先変換テーブル５０へのこれら端末情報の登録は、たとえば、送信端末２０Ｔや受信端末２０Ｒなどの端末に所定のリモートＵＩドライバをインストールしたとき、その端末で使用されるファクシミリ用の電話番号、インターネットファクシミリ用の電子メールアドレス、ＩＰアドレス（ＩＰファクシミリなどに使用するものでもよい）などを該端末からネットワーク２経由でリモートＵＩ通信制御装置４０へ送信して行なわれる。リモートＵＩ通信制御装置４０は変換テーブル記憶部４４の宛先変換テーブル５０を参照することで、ユーザ名５１からその端末のＩＰアドレス５２を入手したり、Ｇ３ファクシミリ用電話番号５４からＩＰアドレス５２を入手したりすることができる。
【００７６】
次に、画像転送システム１０の動作を説明する。
【００７７】
図６は、送信端末２０Ｔから受信端末２０ＲへＧ３ファクシミリ送信を行なう際の全体動作のシーケンスを示している。まず、送信端末２０Ｔにおいてファクシミリ送信の宛先情報が入力される（Ａ１）。ユーザが入力する宛先情報は受信端末２０ＲのＧ３ファクシミリ用電話番号でもよいし、ユーザ名などでもよい。ユーザ名の場合は、送信端末２０Ｔが有する図示省略の電話帳データに基づいてユーザ名から受信端末２０ＲにおけるＧ３ファクシミリ用電話番号が導出される。送信端末２０Ｔはこの電話番号で発呼し（Ａ２）、受信端末２０Ｒに対するファクシミリ送信動作を開始する（Ａ３）。ファクシミリ通信は、電話網８を通じた第１の通信路で行なわれる。
【００７８】
受信端末２０Ｒでは、着呼して（Ｅ１）ファクシミリ受信動作を開始し（Ｅ２）、通信手順に従ってＤＩＳ（Digital Identification Signal）信号を送信端末２０Ｔへ送信する（Ｅ３）。
【００７９】
送信端末２０Ｔのファクシミリ通信制御部２６Ｔは、受信端末２０Ｒから送られてきたＤＩＳ信号を検知すると（Ａ４）、表示切替処理を起動する（Ｂ１）。詳細には、ファクシミリ通信制御部２６ＴからリモートＵＩ制御部２３Ｔに対して表示切替処理の開始指示を出力すると共に、受信端末２０Ｒの端末情報（ここでは、Ｇ３ファクシミリ用電話番号）をＤＲＡＭ２８Ｔに格納する。
【００８０】
リモートＵＩ制御部２３Ｔは、ネットワーク制御部２７Ｔを使用し、第２の通信路であるネットワーク２を通じてリモートＵＩ通信制御装置４０に対して表示切替指令（要求信号）を送信する（Ｂ２）。このように送信端末２０Ｔからの画像データの送信に関して、受信端末２０Ｒとの間での通信開始に応じて、受信端末２０Ｒにおける画像データに対する処理状況に関する表示データを送信するための要求信号を、外部のリモートＵＩ通信制御装置４０を介して、受信端末２０Ｒに対して送信するようにしている。このとき、さらに、リモートＵＩ制御部２３Ｔは、ＤＲＡＭ２８Ｔに格納してある受信端末２０Ｒの端末情報（宛先情報）と、ＤＲＡＭ２８Ｔに予め格納されている送信端末２０Ｔの端末情報とをリモートＵＩ通信制御装置４０に送信する。
【００８１】
リモートＵＩ通信制御装置４０へ送信する送信端末２０Ｔの端末情報は、Ｇ３ファクシミリ用電話番号、電子メールアドレス、ＩＰアドレスなどリモートＵＩ通信制御装置４０の宛先変換テーブル５０に登録してある中のいずれか１つでよいが、複数種類の端末情報を送信してもよい。
【００８２】
リモートＵＩ通信制御装置４０は、送信端末２０Ｔから送信されてきた表示切替指令（要求信号）と、送信端末２０Ｔおよび受信端末２０Ｒの端末情報とを受信し（Ｃ１）、これらの端末情報を元に宛先変換テーブル５０を参照して送信端末２０Ｔと受信端末２０ＲのＩＰアドレス（アドレス情報）を認識する（Ｃ２）。そして、このＩＰアドレスを使用して受信端末２０Ｒに対して表示データの送信要求（要求信号）を送信する（Ｃ３）。
【００８３】
受信端末２０Ｒは、ネットワーク２を介してリモートＵＩ通信制御装置４０から送られてきた送信要求（要求信号）をネットワーク制御部２７Ｒで受信して（Ｄ１）リモートＵＩ制御部２３Ｒに引き渡し、リモートＵＩ制御部２３Ｒは該送信要求（要求信号）に応じ、受信端末２０Ｒ側の操作表示部２４Ｒに表示されている画面と同一画面を送信端末２０Ｔで表示するための表示データを、ネットワーク制御部２７Ｒおよびネットワーク２を通じてリモートＵＩ通信制御装置４０に送信する（Ｄ２）。表示データの送信は、画面の表示内容が変化する毎に行なわれる。
【００８４】
リモートＵＩ通信制御装置４０は、受信端末２０Ｒから送られてきた表示データを受信し、該表示データを、先に認識した送信端末２０ＴのＩＰアドレスを使用して、ネットワーク２経由で送信端末２０Ｔに中継送信する（Ｃ４）。
【００８５】
送信端末２０Ｔにおいては、リモートＵＩ通信制御装置４０を介して受信端末２０Ｒから送られてきた表示データをネットワーク制御部２７Ｔで受信し、リモートＵＩ制御部２３Ｔは、該表示データに基づく画面を操作表示部２４Ｔに表示させて、操作表示部２４Ｔの表示内容を、送信端末２０Ｔ側の画面から受信端末２０Ｒ側の画面に切り替える（Ｂ３）。以後は、受信端末２０Ｒの操作表示部２４Ｒに表示されている画面と同一の画面が送信端末２０Ｔの操作表示部２４Ｔに表示される。
【００８６】
このような表示切替動作と並行してファクシミリの送受信に関する動作は実行されており、送信端末２０Ｔは画像データを電話網８経由で受信端末２０Ｒに送信し（Ａ５）、受信端末２０Ｒは該画像データを受信する（Ｅ４）。受信した画像データはメモリに保存されると共に、メモリに保存された画像データは、受信動作と並行して、順次、印刷処理される。
【００８７】
最終ページの画像データの受信が正常に終了すると受信端末２０ＲはＥＯＰ（End Of Procedure）信号およびＭＣＦ信号を送信端末２０Ｔへ送信し（Ｅ５）、ファクシミリの受信処理を終了させて電話回線Ｌ２を回線断する（Ｅ６）。送信端末２０ＴではＥＯＰ−ＭＣＦを受信すると（Ａ６）、ファクシミリ送信動作を終了させて電話回線Ｌ１を回線断する（Ａ７）。
【００８８】
受信端末２０Ｒにおいては、回線断した後も、メモリからの印刷出力が継続されており、送信要求（要求信号）を受信して以降、操作表示部２４Ｒに表示される画面についても、対応する表示データがリモートＵＩ通信制御装置４０を介して送信端末２０Ｔに周期的に送られ、送信端末２０Ｔの操作表示部２４Ｔに受信端末２０Ｒ側の画面が周期的に更新される。
【００８９】
受信したすべてのページの印刷が完了すると受信端末２０Ｒの印刷出力部２２Ｒは印刷の完了をリモートＵＩ制御部２３Ｒに通知し（Ｅ７）、これを受けたリモートＵＩ制御部２３Ｒは、完了通知をリモートＵＩ通信制御装置４０へ送信する（Ｄ３）。受信した画像データの印刷が完了することにより、受信端末２０Ｒでの表示データ送信処理は終了する。
【００９０】
リモートＵＩ通信制御装置４０は受信端末２０Ｒからの完了通知を送信端末２０Ｔへ中継送信する（Ｃ５）。これによりリモートＵＩ通信制御装置４０での一連の処理は終了する。
【００９１】
送信端末２０Ｔのネットワーク制御部２７Ｔは、リモートＵＩ通信制御装置４０を介して受信端末２０Ｒから完了通知を受信すると（Ｂ４）、該完了通知をリモートＵＩ制御部２３Ｔに引き渡し、リモートＵＩ制御部２３Ｔは操作表示部２４Ｔの表示内容を自端末２０Ｔ側の画面に切り替える（Ｂ５）。これにより、送信端末２０Ｔ側で表示切替処理は終了する。
【００９２】
本実施の形態によれば、たとえば、大量ページをファクシミリ送信したような場合には、送信終了後においても多数のページの画像データが未印刷出力のまま受信端末２０Ｒのメモリに蓄積されており、受信端末２０Ｒでは、これらのページが順次、印刷出力される。このとき受信端末２０Ｒの操作表示部２４Ｒには、何分の何ページまで印刷が行なわれているかを示す画面が表示され、これと同じ画面が送信端末２０Ｔにも表示される。
【００９３】
また、印刷中に紙詰まりが生じた場合や、紙切れが生じた場合には、受信端末２０Ｒの操作表示部２４Ｒにその旨の警告メッセージなどが表示され、これと同じ画面が送信端末２０Ｔにも表示される。
【００９４】
したがって、送信端末２０Ｔ側のユーザは、送信した画像データに対する受信端末２０Ｒ側での処理状況を、送信終了後においても印刷が完了するまで確認することができ、最後まで正常に印刷が完了したこと、あるいは紙詰まりや紙切れが生じて印刷が完了していないことなどを、送信端末２０Ｔ側の画面で詳細に確認することができる。
【００９５】
受信端末２０Ｒから送信されてくる表示データによる画面は、受信端末２０Ｒの操作表示部２４Ｒに表示されている画面と同一画面を例示したが、送信端末２０Ｔから送信した画像データに対する受信端末２０Ｒ側での処理状況を把握可能な内容の画面であれば、受信端末２０Ｒの操作表示部２４Ｒに表示される画面と同一でなくてもよい。たとえば、受信総ページ数、印刷完了ページ数、紙詰まり、紙切れなどの受信端末２０Ｒの処理状況に関する情報が表示されればよい。したがって、送信端末２０Ｔの操作表示部２４Ｔにおける画面（表示内容）が、受信端末２０Ｒの操作表示部２４Ｒにおける画面（表示内容）に切り替わる以外にも、両方の画面が並列に表示されても構わない。本発明において、画面表示の切替処理とは、受信端末２０Ｒの処理状況に関する情報が、送信端末２０Ｔにて、処理状況が把握可能に表示されるための処理をいう。
【００９６】
なお、送信端末２０Ｔは、受信端末２０ＲからリモートＵＩ通信制御装置４０を介して受信した表示データをリモート操作端末１２へ転送し、受信端末２０Ｒ側の画面をリモート操作端末１２に表示させてもよい。
【００９７】
図７は、受信端末２０Ｒ側での表示データ送信処理の流れを示している。受信端末２０Ｒの操作部表示モジュール２９Ｒは操作表示部２４Ｒへの画面表示に際して、その画面のＲＡＷデータをＤＲＡＭ２８Ｒへ展開して格納するようになっている。そこで、リモートＵＩ通信制御装置４０を介して送信端末２０Ｔから表示データの送信要求（要求信号）を受信すると（ステップＳ１０１；Ｙ）、リモートＵＩ制御部２３Ｒが表示データ変換モジュール３１Ｒに指示して、ＤＲＡＭ２８Ｒに格納されている現在の画面のＲＡＷデータをビットマップ形式のデータに変換させる（ステップＳ１０２）。
【００９８】
表示データ変換モジュール３１Ｒは変換が終了すると、その旨のメッセージをネットワーク制御部２７Ｒに通知する。ネットワーク制御部２７Ｒは該メッセージに基づき、ＤＲＡＭ２８Ｒ内のビットマップ形式の表示データをリモートＵＩ通信制御装置４０へ送信し（ステップＳ１０３）、送信が完了するとその旨をリモートＵＩ制御部２３Ｒに通知する。リモートＵＩ制御部２３Ｒは、５００ｍｓ毎に画面内容が変化したか否かを操作部表示モジュール２９Ｒに問い合わせ(ステップＳ１０４)、変化している場合は(ステップＳ１０４；Ｙ)、新たな画面のＲＡＷデータをビットマップ形式に変換させてリモートＵＩ通信制御装置４０へ送信する（ステップＳ１０２、Ｓ１０３）。
【００９９】
また、印刷が完了したか否かをチェックし(ステップＳ１０５)、完了していない間は(ステップＳ１０５；Ｎ)、画面内容の変化の監視と（ステップＳ１０４）、変化した場合の表示データの変換と送信とを継続する(ステップＳ１０２、Ｓ１０３)。印刷が完了すると(ステップＳ１０５；Ｙ)、完了通知をリモートＵＩ通信制御装置４０へ送信して（ステップＳ１０６）処理を終了する（エンド）。
【０１００】
先に説明したように、受信端末２０Ｒはファクシミリ機能のほかに、複写機能、スキャン機能などを備えており、送信端末２０Ｔからファクシミリ送信を行なった時点で受信端末２０Ｒが他のユーザにより、たとえばコピーモードで使用されている場合でも、受信端末２０Ｒはマルチタスクで動作してファクシミリ受信を実行する。また、ファクシミリ受信中に他のジョブを予約したり他のジョブを実行させたりすることもできる。
【０１０１】
しかし、ファクシミリ受信ジョブとユーザ操作による他のジョブとが同時に行なわれると、ユーザが使用している動作モードの状態が受信端末２０Ｒの操作表示部２４Ｒに優先的に表示される。そこで、このような場合に対応するべく、図７のステップＳ１０２において、図８に示すサブルーチン処理（表示データ作成サブ処理）が実行される。
【０１０２】
図８のサブルーチン処理では、現在、操作表示部２４Ｒにファクシミリ受信ジョブの画面が表示されているか否かを調べ(ステップＳ１１１)、ファクシミリ受信ジョブの画面が表示されているときは(ステップＳ１１１；Ｙ)、ＤＲＡＭ２８Ｒに格納されている該画面の表示データをそのまま使用する（ステップＳ１１２）。一方、現在、操作表示部２４Ｒにファクシミリ受信ジョブの画面が表示されていないときは(ステップＳ１１１；Ｎ)、操作部表示モジュール２９Ｒに依頼して、ファクシミリ受信ジョブの現状に対応する画面の表示データをローカルに作成させて、これを使用する（ステップＳ１１３）。
【０１０３】
なお、ステップＳ１１１において、他のユーザが受信端末２０Ｒを使用中か否かを判断し、他のユーザが使用中の場合は（ステップＳ１１１；Ｎ）、ファクシミリ受信ジョブに対応する画面の表示データを操作部表示モジュール２９Ｒにローカルに作成させるようにしてもよい。ローカルに作成した画面は、ファクシミリ受信以外の動作モードからファクシミリ受信の動作モードへの切り替えが行なわれない限り、操作表示部２４Ｒには表示されない。
【０１０４】
図９は、送信端末２０Ｔ側での表示切替に関する処理の流れを示している。ファクシミリ通信制御部２６Ｔが電話回線Ｌ１からのＤＩＳ信号を検出すると（ステップＳ１２１；Ｙ）、ファクシミリ通信制御部２６ＴはリモートＵＩ制御部２３Ｔへ表示切替を指示し（ステップＳ１２２）、リモートＵＩ制御部２３ＴはリモートＵＩ通信制御装置４０へ表示切替指令（要求信号）を送信する(ステップＳ１２３)。
【０１０５】
その後、リモートＵＩ通信制御装置４０を介してネットワーク制御部２７Ｔが受信端末２０Ｒからビットマップ形式の表示データを受信すると(ステップＳ１２４)、ネットワーク制御部２７Ｔは該表示データをＤＲＡＭ２８Ｔに格納する。ネットワーク制御部２７ＴはＤＲＡＭ２８Ｔへの表示データの格納が完了するとその旨をリモートＵＩ制御部２３Ｔに通知する。これを受けてリモートＵＩ制御部２３Ｔは表示データ変換モジュール３１Ｔに対して、ＤＲＡＭ２８Ｔに格納されているビットマップ形式の表示データをＲＡＷデータに変換するように指示する。表示データ変換モジュール３１Ｔは指示された変換を終了すると、変換後のＲＡＷデータに基づく画面を操作表示部２４Ｔに表示させる（ステップＳ１２５）。
【０１０６】
リモートＵＩ通信制御装置４０を介して受信端末２０Ｒから完了通知が受信されるまでは（ステップＳ１２６；Ｎ）、表示データを受信する毎に、上記ステップＳ１２４、Ｓ１２５の処理を継続し、完了通知を受信すると(ステップＳ１２６；Ｙ)、操作表示部２４Ｔの表示内容を送信端末２０Ｔ側の画面へ切り替えて(ステップＳ１２７)処理を終了する（エンド）。
【０１０７】
なお、ＥＯＰ信号の後、ＭＣＦ信号が受信されるのを確認し、さらに、その後、完了通知の受信を待つように構成してもよい。また、受信端末２０ＲからリモートＵＩ通信制御装置４０を介して受信した表示データをリモート操作端末１２へ転送し、受信端末２０Ｒ側の画面をリモート操作端末１２に表示させる場合には、ビットマップ形式のデータのままリモート操作端末１２へ転送し、リモート操作端末１２においてＲＡＷデータに変換するなどして表示するようになっている。
【０１０８】
図１０は、送信端末２０Ｔ側での各種の表示態様を示している。同図（ａ）は、受信端末２０Ｒの操作表示部２４Ｒにおける受信側画面６１を、同図（ｂ）は、送信端末２０Ｔの操作表示部２４Ｔにおける送信側画面６２を示している。このように受信端末２０Ｒや送信端末２０Ｔの機種によっては、受信側画面６１の画面サイズ（縦Ｈ１×横Ｗ１）と、送信側画面６２の画面サイズ（縦Ｈ２×横Ｗ２）とが一致しない場合がある。
【０１０９】
そこで、送信端末２０Ｔの表示データ変換モジュール３１Ｔにおいて、受信側画面６１（受信端末２０Ｒ側の操作表示部２４Ｒにおける画面サイズ）と、送信端末２０Ｔ側の操作表示部２４Ｔにおける画面サイズとの比較を行ない、同一でない場合には補正を行なうようになっている。受信端末２０Ｒ側の操作表示部２４Ｒの画面サイズは、受信端末２０Ｒが送信するビットマップ形式の表示データのタグ情報などに含まれる。
【０１１０】
たとえば、比較の結果、受信側画面６１が送信側画面６２の画面サイズ内に収まる場合には、図１０（ｃ）に示すように、送信側画面６２の中に受信側画面６１を原寸のまま表示する方法、図１０（ｄ）に示すように、縦横比を維持したまま受信側画面６１を拡大（画面６１ａ）して送信側画面６２内に表示する方法、図１０（ｅ）に示すように、縦横比を維持せずに受信側画面６１を送信側画面６２の画面全体に拡大（画面６１ｂ）して表示する方法などがある。
【０１１１】
また、受信側画面６１が送信側画面６２の画面サイズより大きい場合には、送信側画面６２に入るように縦横比を維持したまま受信側画面６１を縮小する方法、縦横比を無視して送信側画面６２にちょうど収まるように受信側画面６１を縮小する方法などがある。どの表示態様で表示するかをユーザ選択可能にするとよい。
【０１１２】
このほか、拡大縮小による画面サイズの補正を行なわなくてもよい。このとき、送信端末２０Ｔの操作表示部２４Ｔが受信端末２０Ｒの操作表示部２４Ｒよりも小さい場合には、操作表示部２４Ｔにおいて、画面を縦横にスクロールする機能を設けることにより、画面の大きさの違いに、対応することができる。
【０１１３】
また、受信端末２０Ｒと送信端末２０Ｔとで画面の表示色が相違する場合は、表示データの受信側である送信端末２０Ｔの表示データ変換モジュール３１Ｔにおいて、表示データの送信側である受信端末２０Ｒの操作表示部２４Ｒでの表示色と自端末２０Ｔの操作表示部２４Ｔでの表示色とを比較し、表示色が同一でない場合には、色補正を行なうようにしてもよい。たとえば、カラー／モノクロ変換や、フルカラー／限定色カラー変換などを行なう。
【０１１４】
さらに、表示データの受信側である送信端末２０Ｔの表示データ変換モジュール３１Ｔにおいて、表示データの送信側である受信端末２０Ｒの操作表示部２４Ｒにおける解像度と自端末２０Ｔの操作表示部２４Ｔにおける解像度とを比較し、解像度が異なる場合は、解像度の補正を行なうようにしてもよい。
【０１１５】
次に、画像データをインターネットファクシミリ通信によって送信する場合について説明する。インターネットファクシミリ通信を利用する場合は、画像データの送受信と表示データの送受信のいずれにおいてもインターネット２ｄを利用する。このとき、送信端末２０Ｔと第１ＬＡＮ２ａとの接続、および受信端末２０Ｒと第２ＬＡＮ２ｂとの接続において、それぞれ画像データ送受信用のポートと表示データ送受信用のポートの複数ポートを並列利用する。
【０１１６】
具体的には、インターネットファクシミリ通信においては、ＳＭＴＰ（Simple Mail Transfer Protocol）プロトコルを使用し、ＩＴＵ‐ＴのＴ.３７準拠にした電子メールによる画像データの転送を行ない、２５番ポートを使用する。表示データの送受信には、たとえば、ＨＴＴＰ（Hyper Text Transfer Protocol）を利用し、８０番ポートを使用する。
【０１１７】
インターネットファクシミリ通信を使用する場合には、ＤＩＳ信号に代えて、受信端末２０Ｒとの接続の確認にＲＣＰＴ命令を使用する。ＲＣＰＴ命令は、受取人を識別同定する前方‐経路(forward-path)を与るコマンドであり、受け入れられると、受信者-ＳＭＴＰは「２５０  ＯＫ」応答を返し、その前方-経路を保存する。一方、受信者が不明なら、受信者-ＳＭＴＰは失敗応答５５０を返すようになっている。
【０１１８】
したがって、ＲＣＰＴ命令の応答が「２５０  ＯＫ」の場合に、表示切替処理を起動（図６、Ｂ１）することになる。具体的には、図９のステップＳ１２１でＤＩＳ信号を検出する代わりに、ＲＣＰＴ命令の送信を確認する。すなわち、送信端末２０Ｔのネットワーク制御部２７ＴはＲＣＰＴ命令を送信したとき、リモートＵＩ制御部２３Ｔに対して表示切替処理の開始指示を出力する。
【０１１９】
なお、Ｇ３ファクシミリにおいて、ＥＯＰ−ＭＣＦ信号を確認してから完了通知の受信を待つように動作させるのと同様の動作を、Ｔ.３７に準拠したインターネットファクシミリを使用した通信でも行なわせる場合には、ＥＯＰ−ＭＣＦ信号の代わりにＱＵＩＴ命令を使用すればよい。ＱＵＩＴ命令は、受信者がＯＫ応答を送り、転送チャンネルを閉じることを特定するものであり、Ｇ３ファクシミリにおけるＥＯＰ−ＭＣＦとしての機能を果たす。したがって、送信端末２０Ｔのネットワーク制御部２７ＴがＱＵＩＴ命令の送信を検出した後、受信端末２０Ｒ側からの完了通知を待つようにすればよい。
【０１２０】
Ｔ.３８に準拠したインターネットファクシミリを使用した通信の場合は、Ｇ３ファクシミリと同様のプロトコルを使用するので、上述の通りである。
【０１２１】
次に、第２の実施の形態について説明する。
【０１２２】
第２の実施の形態では、表示データの送受信をリモートＵＩ通信制御装置４０を介することなく送信端末２０Ｔと受信端末２０Ｒとの間で直接行なうようになっている。図１１は、かかる場合における全体の動作シーケンスの一例を示している。図６と同一処理については同一の符号を付してあり、それらの説明は適宜省略する。
【０１２３】
第２の実施の形態では、ＤＩＳ信号の受信（Ａ４）によって表示切替処理が起動されると（Ｂ１）、送信端末２０ＴはリモートＵＩ通信制御装置４０に対して、受信端末２０Ｒの端末情報（ＩＰアドレス）を問い合わせる（Ｂ２-1）。該問い合わせにおいてリモートＵＩ制御部２３Ｔは、ＤＲＡＭ２８Ｔに格納してある受信端末２０Ｒの端末情報と、ＤＲＡＭ２８Ｔに予め格納されている送信端末２０Ｔの端末情報とをリモートＵＩ通信制御装置４０に送信する。
【０１２４】
リモートＵＩ通信制御装置４０は送信端末２０Ｔから受信した宛先情報に基づいて宛先変換テーブル５０を参照して送信端末２０Ｔと受信端末２０ＲのＩＰアドレス（アドレス情報）を認識し、これを送信端末２０Ｔに返信する（Ｃ２-2）。
【０１２５】
送信端末２０Ｔは、リモートＵＩ通信制御装置４０から受信したＩＰアドレスを使用して、以後、表示データの授受に係わる通信を、ネットワーク２を通じて受信端末２０Ｒと直接行なう。すなわち、送信端末２０Ｔは表示データの送信要求（要求信号）と自端末２０ＴのＩＰアドレスとを受信端末２０Ｒに送信する（Ｂ２-2）。受信端末２０Ｒは該送信要求（要求信号）と送信端末２０ＴのＩＰアドレスとを送信端末２０Ｔから直接受信し（Ｄ１）、表示データを送信端末２０Ｔに対してネットワーク２を通じて直接送信する（Ｄ２）。また、受信端末２０Ｒは、完了通知についても送信端末２０Ｔにネットワーク２を通じて直接送信する（Ｄ３）。
【０１２６】
送信端末２０Ｔは、受信端末２０Ｒから直接ネットワーク２を通じて送られてくる表示データを受信して自端末２０Ｔの操作表示部２４Ｔに表示する。また、受信端末２０Ｒから完了通知を受信すると、リモートＵＩ制御部２３Ｔは操作表示部２４Ｔの表示内容を自端末側の画面に切り替える（Ｂ５）。
【０１２７】
なお、受信端末２０Ｒ側のＩＰアドレスをリモートＵＩ通信制御装置４０に問い合わせて取得するようにしたが、事前に送信端末２０Ｔに登録してあれば、リモートＵＩ通信制御装置４０に問い合わせることなく、該登録された内容を参照して、ファクシミリ送信用に入力された宛先情報から受信端末２０ＲのＩＰアドレスを取得してもよい。事前登録は、ユーザが入力してもよいし、たとえば、前回、リモートＵＩ通信制御装置４０に問い合わせて取得したＩＰアドレスを送信端末２０Ｔに登録するように構成してもよい。
【０１２８】
なお、上記第１、第２の実施の形態では、画像データを受信端末２０Ｒに送信する送信手段としての機能はファクシミリ通信制御部２６Ｔが、表示データの送信を受信端末２０に要求する要求手段としての機能はリモートＵＩ制御部２３Ｔおよびネットワーク制御部２７Ｔが、受信端末２０Ｒから送られてきた表示データを受信する表示データ受信手段としての機能はネットワーク制御部２７Ｔが果たし、受信した表示データに基づいて受信端末２０Ｒ側での処理状況を表わす画面を表示する表示手段としての機能は、操作表示部２４Ｔと表示データ変換モジュール３１ＴとリモートＵＩ制御部２３Ｔとが果たしている。
【０１２９】
また、送信端末２０Ｔから送られてくる画像データを受信する受信手段の機能はファクシミリ通信制御部２６Ｒが、表示データの送信要求（要求信号）を受信する要求受信手段の機能はリモートＵＩ制御部２３Ｒおよびネットワーク制御部２７Ｒが、該受信した要求に応じて送信端末２０Ｔに表示データを送信する表示データ送信手段の機能は操作部表示モジュール２９Ｒと表示データ変換モジュール３１ＲとリモートＵＩ制御部２３Ｒとが果たしている。
【０１３０】
第２の実施の形態において、受信端末２０Ｒのアドレス情報（ＩＰアドレス）を入手する入手手段としての機能はリモートＵＩ制御部２３Ｔおよびネットワーク制御部２７Ｔが果たし、外部端末であるリモートＵＩ通信制御装置４０からアドレス情報を入手している。
【０１３１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３２】
たとえば、送信端末２０Ｔの操作表示部２４Ｔやリモート操作端末１２に受信端末２０Ｒ側からの表示データに基づく画面を表示する場合の画面モードをユーザの好みに応じて選択可能に構成してもよい。詳細には、受信端末２０Ｒから受信した表示データに基づく画面を送信端末２０Ｔの操作表示部２４Ｔやリモート操作端末１２の表示領域全体に表示する第１モード（図１２（ａ）参照）、送信端末２０Ｔ側の動作に係わる表示画面と受信端末２０Ｒから受信した表示データに基づく表示画面とを表示領域内に同時並列に表示する第２モード（図１２（ｂ）参照）、さらに、ファクシミリ通信を２つの回線で同時に実行可能な場合には図１２（ｃ）に示すように、第１回線側の受信端末（１）から受信した表示データに基づく表示画面と、第２回線側の受信端末（２）から受信した表示データに基づく表示画面とを同時並列に表示する第３モードなどを選択可能に設けるとよい。
【０１３３】
第３モードにおいては、（ａ）第１回線：Ｇ３ファクシミリ／第２回線：Ｇ３ファクシミリ、（ｂ）第１回線：Ｇ３ファクシミリ／第２回線：インターネットファクシミリ、（ｃ）第１回線：Ｇ３ファクシミリ／第２回線：ＩＰ-ファクシミリ  などの組み合わせがある。
【０１３４】
また、受信端末２０Ｒから受信した表示データは、必ずしも送信端末２０Ｔで常に表示する必要はなく、受信した後、表示するか否かは送信端末２０Ｔの都合やユーザの要求に応じて適宜に選択すればよい。たとえば、ジョブの投入などユーザが何らかの操作を操作表示部２４Ｔから行なっている間は、送信端末２０Ｔ側の画面を操作表示部２４Ｔに表示してもよい。
【０１３５】
また、表示データは、ビットマップ形式など加工データによるデータ形式で転送するほか、ＨＴＴＰ（Hyper Text Transfer Protocol）プロトコルを使用した、ＨＴＭＬ（Hyper Text Markup Language）の形式で転送してもよい。
【０１３６】
実施の形態では、ＤＩＳ信号の受信やＲＣＰＴ命令の送信を契機に表示切替処理を起動するようにしたが、ファクシミリ通信が開始されたことを把握可能であれば、他の事象を起動の契機に使用してもよい。
【０１３７】
また、実施の形態では、受信端末２０Ｒでの印刷出力完了に同期して受信端末２０Ｒから完了通知を送信するようにしたが、完了通知を出すタイミングはこれに限定されない。たとえば、受信した画像データを印刷せずに他の装置へ転送するように指定されている場合には、その転送動作の完了に同期して完了通知を送信してもよい。要するに送信端末２０Ｔから受信した画像データに関する受信端末２０Ｒ側の処理がすべて完了した場合に完了通知を送信すればよい。
【０１３８】
なお、利用目的に合致すれば、受信端末２０Ｒでの画像データの受信が完了したことを確認した時に、完了通知を送信しても構わない。
【０１３９】
また、表示切替処理の終了を送信端末２０Ｔ側から指示するように構成してもよい。たとえば、受信端末２０Ｒ側で紙切れが生じ、紙切れエラーの画面の表示データが送信端末２０Ｔに送信され、送信端末２０Ｔ側のユーザがそれを確認して表示切替の終了操作を行なったとき、送信端末２０Ｔから受信端末２０Ｒに対して表示データの送信終了指示を通知し、一連の表示切替動作を終了させるように構成してもよい。
【０１４０】
また、ファクシミリ通信が異常終了した場合には、その時点で表示切替を終了させてもよいし、たとえば、受信端末側から、通信異常が生じる前に正常に受信された画像データに対する処理（印刷など）の完了通知を受けてから、表示切替を終了させるようにしてもよい。
【０１４１】
画像データの送信は、Ｇ３ファクシミリ、インターネットファクシミリで行なう場合を例に説明したが、他の方法で行なわれてもよい。
【図面の簡単な説明】
【０１４２】
【図１】本発明の第１の実施の形態に係わる画像転送システムの全体構成を示す説明図である。
【図２】送信端末の構成を示すブロック図である。
【図３】受信端末の構成を示すブロック図である。
【図４】リモートＵＩ通信制御装置の構成を示すブロック図である。
【図５】リモートＵＩ通信制御装置の変換テーブル記憶部に記憶された宛先変換テーブルの一例を示す説明図である。
【図６】送信端末から受信端末へＧ３ファクシミリ送信を行なう際の全体動作を示すシーケンス図である。
【図７】受信端末側での表示データ送信処理を示す流れ図である。
【図８】受信端末側での表示データ作成サブ処理を示す流れ図である。
【図９】送信端末側での表示切替処理を示す流れ図である。
【図１０】送信端末側での画面の各種表示態様を示す説明図である。
【図１１】本発明の第２の実施の形態におけるファクシミリ送信に関連する全体動作を示すシーケンス図である。
【図１２】送信端末側での画面の各種表示モードを示す説明図である。
【符号の説明】
【０１４３】
Ｌ１、Ｌ２…電話回線
２…ネットワーク
２ａ…第１ＬＡＮ
２ｂ…第２ＬＡＮ
２ｃ…第３ＬＡＮ
２ｄ…インターネット
３ａ、３ｂ、３ｃ…ルータ
４ａ、４ｂ…パーソナルコンピュータ
５…ファクシミリ装置
８…電話網
１０…画像転送システム
１２…リモート操作端末
２０Ｒ…受信端末
２０Ｔ…送信端末
２１Ｔ、２１Ｒ…読取部
２２Ｔ、２２Ｒ…印刷出力部
２３Ｔ、２３Ｒ…リモートＵＩ制御部
２４Ｔ、２４Ｒ…操作表示部
２５Ｔ、２５Ｒ…宛先入力部
２６Ｔ、２６Ｒ…ファクシミリ通信制御部
２７Ｔ、２７Ｒ…ネットワーク制御部
２８Ｔ、２８Ｒ…ＤＲＡＭ
２９Ｔ、２９Ｒ…操作部表示モジュール
３１Ｔ、３１Ｒ…表示データ変換モジュール
４０…リモートＵＩ通信制御装置
４１…ＣＰＵ
４２…メモリ
４３…通信部
４４…変換テーブル記憶部
５０…宛先変換テーブル
５１…ユーザ名
５２…ＩＰアドレス
５３…電子メールアドレス
５４…Ｇ３ファクシミリ用電話番号
６１…受信側画面
６２…送信側画面
【図１】
2007194786.tif 000003
【図２】
2007194786.tif 000004
【図３】
2007194786.tif 000005
【図４】
2007194786.tif 000006
【図５】
2007194786.tif 000007
【図６】
2007194786.tif 000008
【図７】
2007194786.tif 000009
【図８】
2007194786.tif 000010
【図９】
2007194786.tif 000011
【図１０】
2007194786.tif 000012
【図１１】
2007194786.tif 000013
【図１２】
2007194786.tif 000014